(57)【要約】【課題】初期化処理に要する時間がハードディスクの使用領域に応じた時間になっていないので、操作不可能となる無駄な時間が生じる。【解決手段】電源がオンされると、キー操作を無効とするインターロックを行う。ＩＣ等を初期化した後、ハードディスクの初期化を開始する。ハードディスクの初期化が終了したか否かを定期的に確認する。ハードディスクの使用領域に応じて初期化が終了する。この初期化の終了を確認すると、インターロックを解除して、キー操作を可能とする。【選択図】  図２
2004185776.tif 000002
【特許請求の範囲】
【請求項１】
データを記録する記録媒体と、操作部からの入力操作に基づいてデータ処理を行う制御部とを備え、該制御部は、起動時に前記記録媒体の初期化を実行する初期化手段と、初期化の進行状況を監視する監視手段と、初期化中、前記操作部から入力される操作を無効にするロック手段と、初期化の終了を検知したとき、前記操作を受け付けるロック解除手段とを有することを特徴とする記録再生装置。
【請求項２】
データを記録する記録媒体と、該記録媒体の駆動制御を行うサブ制御部と、操作部からの入力操作に基づいて前記サブ制御部を制御してデータ処理を行う制御部とを備え、前記サブ制御部は、起動時に前記記録媒体の初期化を実行する初期化手段と、初期化の進行状況を検知する検知手段とを有し、前記制御部は、初期化中、前記操作部から入力される操作を無効にするロック手段と、前記サブ制御部に対して初期化の進行状況を確認する確認手段と、前記サブ制御部からの応答によって初期化の終了を確認したとき、前記操作を受け付けるロック解除手段とを有することを特徴とする記録再生装置。
【請求項３】
制御部は、初期化中に操作部から入力された操作を記憶する記憶手段を有し、操作の受付開始後、記憶された操作に対応する動作を実行することを特徴とする請求項１または２記載の記録再生装置。
【発明の詳細な説明】
【０００１】
【発明の属する技術分野】
本発明は、ハードディスク等のランダムアクセス可能な記録媒体を使用した記録再生装置に関する。
【０００２】
【従来の技術】
ハードディスクを使用した記録再生装置として、例えば映像データをハードディスクに記録する記録再生装置がある。この記録再生装置において、記録や再生のためのＩＣ、チューナ、ハードディスク用のサブ制御部等の被制御機器は、制御部によって操作部から入力された操作内容に基づいて映像データの記録および再生を行うように駆動制御される。
【０００３】
そして、電源オン時に、マイコンからなる制御部は、各ＩＣやチューナ等の被制御機器およびハードディスクの初期化を行い、装置全体が正常に動作するような初期化処理を行う。各ＩＣやチューナにおいては、不正終了、誤動作等によって生じた設定値の変動等がリセットされ、初期状態に復帰する。ハードディスクにおいては、スキャンディスクが行われる。すなわち、映像データとこのデータを管理するための管理情報との整合性がチェックされ、整合が取れていないとき、自動的に修正したり、データが壊れていることを警告したりして、データが正しく保存されていることを確認する。
【０００４】
上記の初期化処理の手順を説明する。記録再生装置の電源をオンした起動時に、まず制御部に接続された各ＩＣ、チューナ等の被制御機器の初期化を行う。その後、サブ制御部に接続されたＩＣ等の被制御機器を初期化する。サブ制御部は、ＩＣ等の初期化が終了したことを制御部に通知する。各ＩＣ等の初期化終了後、制御部は、サブ制御部にハードディスクの初期化を実行するように命令する。サブ制御部によってハードディスクの初期化が行われる。
【０００５】
初期化処理中、誤動作を防ぐため、制御部は、操作部から入力された操作を受け付けないよう、キー操作によって入力された操作を無効にする。この入力された操作の無効をインターロックと称する。この間、初期化開始から所定時間経過すると、インターロックを解除して、入力される操作を受け付ける。通常の電源オン状態になり、操作が可能となる。
【０００６】
上記の所定時間は、初期化処理に要する時間に基づいて予め設定された固定長の時間である。被制御機器の初期化に要する時間は、予め決まっており、短時間となっている。一方、ハードディスクの初期化に要する時間は、起動時点におけるハードディスクの使用領域に依存して異なる。そのため、領域が全て使用された状態において初期化するのに要する時間を測ると、これが初期化のための最大時間となる。この最大時間と被制御機器の初期化に要する時間から固定長の所定時間が決められる。
【０００７】
制御部は、起動時点のハードディスクの使用領域を認識できないので、初期化処理がいつ終了するのか判断できない。そこで、予め設定された所定時間に基づいて、初期化処理が始まってから所定時間が経過したときに、初期化処理が終了したものとみなす。
【０００８】
ところで、実際のハードディスクの初期化に要する時間は使用領域に応じて異なるため、空き領域が多いほど、この時間は短くなる。しかし、初期化処理の時間は固定長に設定されているので、実際の初期化処理が終了しているにもかかわらず、制御部は所定時間が経過するまで初期化処理を続けるといった事態が起こる。その結果、ユーザの操作が受け付けられるようになるまで、無駄な時間が費やされる。例えば、ハードディスクの容量が８０Ｇバイトの場合、初期化に要する最大時間−最小時間の時間差は約１０秒となる。この間、ユーザは操作できないことになる。
【０００９】
このような操作不可能な状態を減らすために、特許文献１では、ハードディスクのテンポラリデータを格納する第１の領域の初期化が終了すると、恒久保存データを格納する第２の領域の初期化完了の有無にかかわらず、第１の領域のみを使用する操作の受付を可能にしている。
【００１０】
【特許文献１】
特開２００１−２７７６０３（段落００５３）
【００１１】
【発明が解決しようとする課題】
上記のように、ハードディスクの使用領域のうち一部の初期化が終了した時点で、一部の操作を可能にしているが、全ての初期化は終わっていない。そのため、ハードディスクに恒久的に保存したデータをすぐに再生するといった処理を行う必要性がある記録再生装置においては、操作可能となるまでユーザを待たすといった問題は解決されていない。
【００１２】
また、記録再生装置において、各ＩＣの初期化が終了した時点で、例えばＩＣとチューナとの間での通信処理は有効になる。このとき、チューナからの出力によって、画面に映像を映すことはできるが、操作部から入力された操作は無効にされる。したがって、画面を見て操作したユーザは、操作しても何も変化しないことに困惑する。
【００１３】
本発明は、上記に鑑み、ハードディスクの使用領域に応じてハードディスクの初期化に要する時間を短縮し、操作可能となるまでの時間を最小限に抑えることができる記録再生装置を提供することを目的とする。
【００１４】
【課題を解決するための手段】
本発明による課題解決手段は、データを記録する記録媒体と、操作部からの入力操作に基づいてデータ処理を行う制御部とを備え、該制御部は、起動時に前記記録媒体の初期化を実行する初期化手段と、初期化の進行状況を監視する監視手段と、初期化中、前記操作部から入力される操作を無効にするロック手段と、初期化の終了を検知したとき、前記操作を受け付けるロック解除手段とを有するものである。
【００１５】
また、記録媒体がサブ制御部によって駆動制御され、操作部からの入力操作に基づいてサブ制御部を制御してデータ処理を行う制御部を備えた記録再生装置では、サブ制御部は、起動時に前記記録媒体の初期化を実行する初期化手段と、初期化の進行状況を検知する検知手段とを有し、制御部は、初期化中、前記操作部から入力される操作を無効にするロック手段と、前記サブ制御部に対して初期化の進行状況を確認する確認手段と、前記サブ制御部からの応答によって初期化の終了を確認したとき、前記操作を受け付けるロック解除手段とを有するものである。
【００１６】
このように、制御部は、監視手段あるいは確認手段によって記録媒体の初期化の進行状況を確認することができる。そのため、記録媒体の使用量が少ない場合には、予め設定された所定時間待つ必要がなくなり、初期化が早く終了することになる。これに伴ってロック解除手段により、早く操作を可能な状態にすることができる。したがって、初期化が終了しているにもかかわらず、操作ができない状態が続くといった無駄な時間の発生をなくすことができる。
【００１７】
そして、制御部は、初期化中に操作部から入力された操作を記憶する記憶手段を有し、操作の受付開始後、記憶された操作に対応する動作を実行する。これによって、実際の動作はされなくても、所望の操作を予約することができ、待ち時間の有効活用を図れる。
【００１８】
【発明の実施の形態】
本発明の一実施形態の記録再生製装置を図１に示す。本記録再生装置は、ビデオデッキとランダムアクセス可能な記録媒体としてハードディスク１を用いた複合機器である。記録再生装置は、公知の構成であり、ビデオデッキにおける映像データの処理を行う表示用ＩＣ、Ｈｉ−Ｆｉ  ＩＣ、ステレオＩＣ、チューナ等の被制御機器２と、これらを駆動制御する制御部３と、アナログの映像データをデジタルの映像データに変換して、ハードディスク１への記録およびハードディスク１からの再生を行うエンコーダ、デコーダ等の被制御機器４と、これらを駆動制御するサブ制御部５と、リモコンあるいは本体操作パネルからなる操作部６とを備えている。制御部３およびサブ制御部５はそれぞれマイコンからなり、制御部３とサブ制御部５との間でデータ通信が行われ、操作部６から入力された操作内容に基づいて制御部３はサブ制御部５を制御する。
【００１９】
そして、制御部３は、電源オンされたときあるいはリセットされたときの起動時に被制御機器２、４やハードディスク１の初期化処理を行う。初期化処理については、従来の技術に記したものと同じである。しかし、本実施形態では、被制御機器２、４の初期化後、ハードディスク１の初期化の進行状況を監視して、終了を検知したときに、インターロックを解除して、操作部６からの操作を可能としている。
【００２０】
すなわち、制御部３は、初期化中、操作部６から入力される操作を無効にするロック手段と、サブ制御部５に対して初期化の進行状況を確認する確認手段と、サブ制御部５からの応答によって初期化の終了を確認したとき、操作を受け付けるロック解除手段とを有する。サブ制御部５は、起動時に制御部３からの指示にしたがってハードディスク１の初期化を実行する初期化手段と、制御部３からの確認があったとき初期化の進行状況を検知する検知手段と、検知結果を制御部３に送信する報告手段とを有する。
【００２１】
制御部３の確認手段では、初期化終了確認コマンドをサブ制御部５に一定時間毎に送信する。サブ制御部５の検知手段では、制御部３からの初期化終了確認コマンドを受信すると、ハードディスク１の初期化が終了したかチェックする。そして、報告手段によって、終了した、あるいは終了していないといった応答コマンドを制御部３に送信する。なお、初期化終了確認コマンドを送信する間隔は、任意に設定可能とされる。間隔を短くするほど、初期化終了を検知するまでのタイムラグを短くでき、インターロックをすばやく解除できる。
【００２２】
また、制御部３は、初期化処理中に操作部６から入力された操作を記憶する記憶手段と、操作の受付開始後、記憶された操作に対応する動作を実行する実行手段とを有する。記憶手段では、初期化処理中に操作キーによって入力された動作コマンドを制御部３のＲＡＭに記憶しておく。例えば、チューナが受信した映像は、被制御機器２、４の初期化が終了した時点で画面に表示されるので、チャンネルの切り替え、ボリュームの調整等の操作がされる場合があり、この１回分の動作コマンドが記憶される。
【００２３】
次に、初期化処理時の動作を図２に基づいて説明する。電源がオンされ、起動すると、制御部３は、まずインターロックを行う。そして、制御部３に接続された被制御機器２の初期化を行う。この被制御機器２の初期化が終了すると、制御部３からの命令によりサブ制御部５は、接続されている被制御機器４の初期化を行う。全ての被制御機器２、４の初期化が終了すると、各被制御機器２、４と各制御部３、５との間でコマンドの通信が可能となる。その結果、この初期化中、テレビ等の表示部は例えば青画面のように特定画面を映していたのが、初期化終了によって、チューナが受信した映像を映し出すことが可能となる。ただし、操作部６からの動作コマンドはまだ通信不可能である。
【００２４】
サブ制御部５は、被制御機器４の初期化を終了すると、ハードディスク１の初期化を開始する。制御部３は、一定時間毎、例えば５００ｍｓｅｃ毎に初期化終了確認コマンドを送信する。このコマンドを受信したサブ制御部５は、ハードディスク１の初期化が終了しているか否か確認して、応答コマンドを制御部３に送信する。応答コマンドが「ハードディスク初期化中」であれば、このコマンドを受信した制御部３は、一定時間後に再度初期化終了確認コマンドを送信する。そして、初期化中であることを表示部に表示して、ユーザに報知するようにしてもよい。
【００２５】
ハードディスク１の初期化が終了すると、サブ制御部５は、応答コマンドとして「ハードディスク初期化終了」を送信する。このコマンドを受信した制御部３は、ハードディスク１の初期化が終了したことを認識し、インターロックを解除する。これによって、初期化処理が終了し、キー操作によって入力された操作に対する動作が行われる。
【００２６】
被制御機器２、４の処理化が終了してから全ての初期化処理が終了するまでの間、制御部３は、操作部６からの入力を監視している。ユーザの操作によって、操作部６から動作コマンドが送信されると、制御部３は、動作コマンドを記憶し、入力フラグをオンする。そして、インターロックを解除した後、記憶された動作コマンドに応じた動作を実行するように、制御部３は被制御機器２、４あるいはサブ制御部５を駆動するとともに、入力フラグをクリアする。
【００２７】
このように、ハードディスク１の処理化を監視することにより、処理状況を把握することができ、ハードディスク１の処理化が終了した時点をすばやく確認できる。ハードディスク１の使用領域が少ない場合、初期化はすぐ終わるが、終了したことを認識することによって、従来のように固定長の所定時間だけ初期化処理を続ける必要がなくなり、早くインターロックを解除することができる。したがって、ユーザの操作不可能な時間を短くでき、操作性の向上を図れる。
【００２８】
上記実施形態の記録再生装置は、ハードディスク１とビデオの複合機器であったが、ハードディスク１の単独機器にも適用できる。この場合、サブ制御部はなく、制御部３は、起動時に被制御機器２およびハードディスク１の初期化を実行する初期化手段と、初期化中、操作部６から入力される操作を無効にするロック手段と、ハードディスク１の初期化の進行状況を確認する確認手段と、初期化の終了を確認したとき、操作を受け付けるロック解除手段と、初期化処理中に操作部６から入力された操作を記憶する記憶手段と、操作の受付開始後、記憶された操作に対応する動作を実行する実行手段とを有する。なお、初期化処理時の動作は図２に示した通りである。
【００２９】
なお、本発明は、上記実施形態に限定されるものではなく、本発明の範囲内で上記実施形態に多くの修正および変更を加え得ることは勿論である。記録媒体としては、ハードディスク以外にＤＶＤ、ＣＤ、半導体メモリ等のランダムアクセス可能なものであればよい。記録再生装置は、これらの記録媒体を複数種類搭載してもよい。また、初期化の進行状況の監視は、定期的に行わずに常時行ってもよい。
【００３０】
記憶手段において、１回の操作だけを記憶しているが、複数回の操作を順に記憶するようにしてもよく、初期化処理が終了するまでの待ち時間を有効に活用することができる。
【００３１】
【発明の効果】
以上の説明から明らかな通り、本発明によると、初期化の進行状況を監視することにより、記録媒体の使用量に応じて初期化を終了することができる。そのため、初期化に要する時間を短縮することが可能となり、起動時の立ち上がり時間も短くなる。したがって、実際の初期化が終了しているにもかかわらず、所定時間経過するまでの無駄な待ち時間をなくすことができ、早く操作可能となり、ユーザに不便を掛けない。
【図面の簡単な説明】
【図１】本発明の一実施形態の記録再生装置の概略ブロック図
【図２】初期化処理のフローチャート
【符号の説明】
１    ハードディスク
２、４    被制御機器
３    制御部
５    サブ制御部
６    操作部
【図１】
2004185776.tif 000003
【図２】
2004185776.tif 000004